(57)【要約】      （修正有）【課題】アラームが頻繁に発生する環境の改善を図ることができるアラーム情報処理装置を提供する。【解決手段】アラーム情報処理装置の制御部２１は、設定部２１１、集計部２１２および判断部２１３を有する。設定部２１１は、所定の期間内におけるアラーム情報に関する閾値を設定する。集計部は、所定の期間内に発生したアラームを集計する。判断部は、集計部によって集計されたアラーム情報が、設定部によって設定された閾値を超えるか否かを判断する。【選択図】図４
2020013493.tif 000002
【特許請求の範囲】
【請求項１】
アラーム情報に関する閾値を設定する設定部と、
所定の期間内に発生したアラームを集計する集計部と、
前記集計部によって集計されたアラーム情報が、前記設定部によって設定された前記閾値を超えるか否かを判断する判断部と、
を有するアラーム情報処理装置。
【請求項２】
前記設定部は、前記アラーム情報に関する閾値として、前記アラームの発生回数に関する閾値を設定し、
前記集計部は、前記アラーム情報として、前記アラームの発生回数を集計する請求項１に記載のアラーム情報処理装置。
【請求項３】
前記設定部は、前記アラームの種類毎に前記アラームの発生回数に関する閾値を設定し、
前記集計部は、前記アラームの種類毎に前記アラームの発生回数を集計する請求項１または２に記載のアラーム情報処理装置。
【請求項４】
前記設定部は、前記アラーム情報に関する閾値として、前記アラームの継続時間に関する閾値を設定し、
前記集計部は、前記アラーム情報として、前記アラームの継続時間を集計する請求項１〜３のいずれか一項に記載のアラーム情報処理装置。
【請求項５】
前記設定部は、医療スタッフの人数、患者の人数、時間帯および曜日の少なくとも一つに関する情報に基づいて、前記アラーム情報に関する閾値を自動的に算出して設定する請求項１〜４のいずれか一項に記載のアラーム情報処理装置。
【請求項６】
前記判断部によって前記アラーム情報が前記閾値を超えると判断された場合、ユーザーに通知する通知部をさらに有する請求項１〜５のいずれか一項に記載のアラーム情報処理装置。
【請求項７】
前記アラーム情報が前記閾値を超えている旨のメッセージ、および前記アラームの発生状況の推移を示すグラフの少なくとも一つを表示する表示部をさらに有する請求項１〜６のいずれか一項に記載のアラーム情報処理装置。
【請求項８】
アラーム情報処理装置の制御プログラムであって、
アラーム情報に関する閾値を設定する設定ステップと、
所定の期間内に発生したアラームを集計する集計ステップと、
前記集計ステップにおいて集計されたアラーム情報が、前記設定ステップにおいて設定された前記閾値を超えるか否かを判断する判断ステップと、
を含む処理をコンピューターに実行させるための制御プログラム。
【発明の詳細な説明】
【技術分野】
【０００１】
本発明は、アラーム情報処理装置およびアラーム情報処理装置の制御プログラムに関する。
【背景技術】
【０００２】
医療現場において、患者の生体情報の異常や、測定機器等の異常等を検出した場合に、アラームを発生させる装置が利用されている。例えば特許文献１には、異常を検出した場合に、アラームおよび当該アラームへの対処方法を表示する装置が記載されている。看護師等の医療スタッフは、表示を確認し、必要な処置を行うことができる。
【先行技術文献】
【特許文献】
【０００３】
【特許文献１】特許第５８９３８２２号公報
【発明の概要】
【発明が解決しようとする課題】
【０００４】
しかし、特許文献１に記載の技術では、異常が検出される度にアラームが発生することになる。このため、異常が頻繁に検出されると、頻繁に発生するアラームへの対応で医療スタッフの負担が大きい。特に、対応可能な医療スタッフの人数が限られている医療現場や時間帯等においては、より問題になり得る。
【０００５】
本発明は、アラームが頻繁に発生する環境の改善を図ることができるアラーム情報処理装置およびアラーム情報処理装置の制御プログラムを提供する。
【課題を解決するための手段】
【０００６】
本発明の一態様に係るアラーム情報処理装置は、設定部、集計部および判断部を有する。設定部は、アラーム情報に関する閾値を設定する。集計部は、所定の期間内に発生したアラームを集計する。判断部は、集計部によって集計されたアラーム情報が、設定部によって設定された閾値を超えるか否かを判断する。
【０００７】
本発明の一態様に係るアラーム情報処理装置の制御プログラムは、設定ステップ、集計ステップおよび判断ステップを含む処理をコンピューターに実行させるための制御プログラムである。設定ステップは、所定の期間内におけるアラーム情報に関する閾値を設定する。集計ステップは、所定の期間内に発生したアラームを集計する。判断ステップは、集計ステップにおいて集計されたアラーム情報が、設定ステップにおいて設定された閾値を超えるか否かを判断する。
【発明の効果】
【０００８】
本発明によれば、医療スタッフ等のユーザーは、アラームを抑制するために、バイタルアラームに関する設定値や、患者に対する処置、センサ等の交換や装着状態の改善、医療スタッフの人数等を見直すことができる。その結果、アラームの発生回数が減少し、アラーム情報処理装置は、医療スタッフが頻繁に発生するアラームに対応できなかったり、重要なアラームを見逃したり、アラーム自体に慣れてしまったりすることを抑止できる。
【図面の簡単な説明】
【０００９】
【図１】本発明の一実施形態に係る医療用システムの概略構成を示す図である。
【図２】生体情報モニタ装置の概略構成を示すブロック図である。
【図３】セントラルモニタ装置の概略構成を示すブロック図である。
【図４】セントラルモニタ装置の制御部の機能構成を示すブロック図である。
【図５】セントラルモニタ装置の処理の手順を示すフローチャートである。
【図６】セントラルモニタ装置の表示内容について説明するための図である。
【図７】セントラルモニタ装置の表示内容について説明するための図である。
【発明を実施するための形態】
【００１０】
以下、添付した図面を参照して、本発明の実施形態を説明する。なお、図面の説明において、同一の要素には同一の符号を付し、重複する説明を省略する。また、図面の寸法比率は、説明の都合上誇張され、実際の比率とは異なる場合がある。
【００１１】
図１は、本発明の一実施形態に係る医療用システムの概略構成を示す図である。
【００１２】
図１に示すように、医療用システム１は、少なくとも一つの生体情報モニタ装置１０、およびセントラルモニタ装置２０を備える。これらは、ネットワーク３０を介して、相互に通信可能に接続される。医療用システム１は、例えば、病院等の施設に設置されるシステムである。
【００１３】
生体情報モニタ装置１０は、例えば、患者の病室に設置されるベッドサイドモニタである。生体情報モニタ装置１０は、患者の生体情報を取得して表示したり、所定の場合にアラームを発生させたり、取得した生体情報をセントラルモニタ装置２０に送信する。
【００１４】
アラーム情報処理装置としてのセントラルモニタ装置２０は、例えば、ナースステーションに設置される。セントラルモニタ装置２０は、生体情報モニタ装置１０から受信した患者の生体情報を表示したり、所定の場合にアラームを発生させたりする。
【００１５】
生体情報モニタ装置１０およびセントラルモニタ装置２０が発生させるアラームの例としては、バイタルアラームやテクニカルアラーム等が挙げられる。バイタルアラームは、患者の生体情報の異常を報知するためのアラームである。テクニカルアラームは、例えば、生体情報モニタ装置１０またはセントラルモニタ装置２０等の測定機器の異常や、患者に装着されたセンサが外れた等のセンサの装着状態の異常、電波切れやノイズ混入等の測定環境の異常等を報知するためのアラームである。
【００１６】
次に、各構成について詳細に説明する。
【００１７】
図２は、生体情報モニタ装置の概略構成を示すブロック図である。
【００１８】
図２に示すように、生体情報モニタ装置１０は、制御部１１、記憶部１２、通信部１３、表示部１４、入力部１５、報知部１６および検出部１７を備える。各構成要素は、信号をやり取りするためのバス１８を介して、相互に接続されている。
【００１９】
制御部１１は、ＣＰＵ（Ｃｅｎｔｒａｌ  Ｐｒｏｃｅｓｓｉｎｇ  Ｕｎｉｔ）であり、プログラムに従い、上記各構成要素の制御や各種の演算処理を実行する。
【００２０】
記憶部１２は、予め各種プログラムや各種データを記憶するＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを記憶するハードディスク等から構成される。
【００２１】
通信部１３は、セントラルモニタ装置２０等の他の装置と通信するためのインターフェースである。
【００２２】
表示部１４は、液晶ディスプレイや有機ＥＬディスプレイ、タッチパネル等から構成され、各種情報を表示する。表示部１４は、例えば、患者の生体情報や、アラームの内容を示すアラーム情報等を表示する。
【００２３】
入力部１５は、キーボードやマウス、タッチパネル等から構成され、ユーザーによる各種入力（操作）を受け付ける。
【００２４】
報知部１６は、聴覚的報知、例えば、ブザーやスピーカー等を含み、アラーム音や操作音等を発生させる。また、報知部１６は、視覚的報知、例えば、各色に点灯するインジケータ等を含んでもよく、アラームの重要度に応じた色のインジケータを点灯させてもよい。
【００２５】
検出部１７は、患者の身体に装着され、患者の生体情報を検出するセンサである。検出部１７は、例えば、心電図測定用電極や、血中酸素飽和度測定用プローブ（ＳｐＯ２プローブ）等を含む。検出部１７は、生体情報として、例えば、心電図信号や血中酸素飽和度、血圧値、心拍数、体温等を検出する。なお、患者の生体情報は、他の測定機器（送信機等）によって検出されてもよく、生体情報モニタ装置１０は、他の測定機器によって送信された患者の生体情報を検出してもよい。検出部１７によって検出された患者の生体情報、テクニカルアラームおよびバイタルアラームに関する情報は、通信部１３等を介して、セントラルモニタ装置２０に送信される。
【００２６】
図３は、セントラルモニタ装置の概略構成を示すブロック図である。
【００２７】
図３に示すように、セントラルモニタ装置２０は、制御部２１、記憶部２２、通信部２３、表示部２４、入力部２５および報知部２６を備える。各構成要素は、信号をやり取りするためのバス２７を介して、相互に接続されている。なお、セントラルモニタ装置２０は、検出部１７を除き、生体情報モニタ装置１０と同様の構成要素を備えるため、各構成要素についての詳細な説明は省略する。
【００２８】
なお、生体情報モニタ装置１０およびセントラルモニタ装置２０は、上記の構成要素以外の構成要素を含んでもよいし、上記の構成要素のうちの一部の構成要素を含まなくてもよい。
【００２９】
続いて、セントラルモニタ装置２０の制御部２１の機能構成について説明する。
【００３０】
図４は、セントラルモニタ装置の制御部の機能構成を示すブロック図である。
【００３１】
図４に示すように、制御部２１は、プログラムを読み込んで処理を実行することによって、設定部２１１、集計部２１２、判断部２１３および通知部２１４として機能する。
【００３２】
設定部２１１は、セントラルモニタ装置２０において所定の期間内に発生するアラーム情報に関する閾値を設定する。所定の期間は、例えば、１時間や１日（２４時間）等の任意の期間であってもよい。
【００３３】
設定部２１１は、所定の期間、およびアラーム情報に関する閾値として、例えば、医療スタッフ等のユーザーによって入力され、入力部２５において受け付けられた期間および閾値を設定する。また、設定部２１１は、所定の期間を自動的に設定すると共に、施設における医療スタッフの人数、患者の人数、時間帯および曜日の少なくとも一つに関する情報を取得し、当該情報に基づいて、アラーム情報に関する閾値を自動的に算出して設定してもよい。すなわち、設定部２１１は、アラームが発生した場合に対応可能な医療スタッフの人数や、アラームを発生させる可能性がある患者の人数等を考慮して、閾値を自動的に設定できる。例えば、患者の人数が多い場合、発生するアラームが増加するため、設定部２１１は閾値を高く設定してもよい。また、医療スタッフの人数が多い場合、対応可能なアラームが増加するため、設定部２１１は閾値を高く設定してもよい。
【００３４】
設定部２１１は、アラーム情報に関する閾値として、例えば、アラームの発生回数に関する閾値を設定する。設定部２１１は、例えば、１時間におけるアラームの発生回数に関する閾値として、１００回を設定してもよい。あるいは、設定部２１１は、１日におけるアラームの発生回数に関する閾値として、２４００回を設定してもよい。
【００３５】
また、設定部２１１は、アラーム情報に関する閾値として、アラームの継続時間（アラームが発生したまま継続する時間）に関する閾値を設定してもよい。本実施形態では、「アラームの継続時間」は、（１）一つのアラームが発生してから終了するまでの継続時間、および（２）アラームＡが発生中にアラームＢが発生した場合、アラームＡが発生してからアラームＢが終了するまでの継続時間を意味するものとする。
【００３６】
なお、設定部２１１は、アラーム情報に関する閾値として、アラームの発生回数に関する閾値およびアラームの継続時間に関する閾値のいずれか一方を設定してもよいし、両方を設定してもよい。また、設定部２１１は、アラーム情報に関する閾値として、任意の他の項目に関する閾値を設定してもよい。
【００３７】
集計部２１２は、セントラルモニタ装置２０において所定の期間内に発生したアラーム（アラーム情報）を集計する。集計部２１２は、例えば、アラームの発生回数やアラームの継続時間を集計する。
【００３８】
判断部２１３は、集計したアラーム情報が、アラーム情報に関する閾値を超えるか否かを判断する。判断部２１３は、例えば、所定の期間内におけるアラームの発生回数が、アラームの発生回数に関する閾値を超えるか否かを判断する。また、制御部２１は、所定の期間内におけるアラームの継続時間が、アラームの継続時間に関する閾値を超えるか否かを判断してもよい。
【００３９】
通知部２１４は、所定の場合に、セントラルモニタ装置２０の各構成要素を制御することによって、医療スタッフ等のユーザーに通知する。通知部２１４は、例えば、所定のメッセージを表示するように表示部２４を制御することによって、ユーザーに通知する。
【００４０】
続いて、図５を参照して、セントラルモニタ装置２０の処理の手順を説明する。
【００４１】
図５は、セントラルモニタ装置の処理の手順を示すフローチャートである。図５のフローチャートに示すアルゴリズムは、セントラルモニタ装置２０の記憶部２２にプログラムとして記憶されており、制御部２１によって実行される。
【００４２】
図５に示すように、まず、セントラルモニタ装置２０の制御部２１は、設定部２１１として、所定の期間内におけるアラーム情報に関する閾値を設定しているか否かを確認する（ステップＳ１０１）。すなわち、制御部２１は、ユーザーによって入力された、または自動的に設定された、アラームの発生回数や継続時間等に関する閾値があるか否かを確認する。
【００４３】
閾値を設定していると確認した場合（ステップＳ１０１：ＹＥＳ）、制御部２１は、集計部２１２として、セントラルモニタ装置２０において所定の期間内に発生したアラームを集計する（ステップＳ１０２）。制御部２１は、アラーム情報に関する閾値に対応付けて設定された所定の期間に対応する期間内における、アラームを集計する。なお、制御部２１は、ステップＳ１０１において確認された、アラーム情報に関する閾値に対応する項目について、アラームを集計すればよい。すなわち、制御部２１は、ステップＳ１０１において、例えば、アラームの発生回数に関する閾値を設定していることを確認した場合、ステップＳ１０２において、アラームの発生回数を集計すればよい。また、制御部２１は、ステップＳ１０１において、アラームの継続時間に関する閾値を設定していることを確認した場合、ステップＳ１０２において、アラームの継続時間を集計すればよい。
【００４４】
続いて、制御部２１は、判断部２１３として、ステップＳ１０２において集計されたアラーム情報が、ステップＳ１０１において設定された閾値を超えるか否かを判断する（ステップＳ１０３）。すなわち、制御部２１は、例えば、所定の期間内におけるアラームの発生回数が、アラームの発生回数に関する閾値を超えるか否かを判断したり、所定の期間内におけるアラームの継続時間が、アラームの継続時間に関する閾値を超えるか否かを判断したりする。なお、制御部２１は、アラームの発生回数に関する閾値およびアラームの継続時間に関する閾値の両方を設定している場合であって、アラームの発生回数および継続時間のいずれか一方が閾値を超えると判断した場合、アラーム情報が閾値を超えると判断してもよい。
【００４５】
アラーム情報が閾値を超えると判断した場合（ステップＳ１０３：ＹＥＳ）、制御部２１は、通知部２１４として、ユーザーに通知する（ステップＳ１０４）。制御部２１は、例えば、アラーム情報が閾値を超えている旨のメッセージ、およびアラームの発生状況（アラーム情報）の推移を示すグラフの少なくとも一つを表示部２４に表示させることによって、ユーザーに通知する。表示部２４における表示内容については、図６および図７を参照して後述する。その後、制御部２１は処理を終了する。
【００４６】
アラーム情報に関する閾値を設定していないと確認した場合（ステップＳ１０１：ＮＯ）、または、アラーム情報が閾値を超えないと判断した場合（ステップＳ１０３：ＮＯ）、制御部２１は処理を終了する。
【００４７】
なお、セントラルモニタ装置２０は、アラーム情報に関する閾値に対応付けて設定された所定の期間毎に、上述した処理を自動的に実行してもよい。
【００４８】
続いて、ステップＳ１０４における、セントラルモニタ装置２０の表示内容について説明する。
【００４９】
図６および図７は、セントラルモニタ装置の表示内容について説明するための図である。
【００５０】
図６に示すように、セントラルモニタ装置２０の表示部２４は、例えば、所定の期間内におけるアラーム情報が閾値を超えている旨のメッセージを表示する。図６に示す例では、各患者の生体情報を示す画面の下側において、所定の期間である１時間におけるアラームの発生回数が閾値を超えている旨のメッセージが表示されている。これにより、セントラルモニタ装置２０は、アラームが頻繁に発生することによって、医療従事者（医療スタッフ）に過度な負担がかかっていることを、ユーザーに通知できる。
【００５１】
また、図７に示すように、セントラルモニタ装置２０の表示部２４は、例えば、アラームの発生状況の推移を示すグラフと共に、所定の期間内におけるアラーム情報が閾値を超えている旨のメッセージを表示してもよい。図７に示す例では、各患者の生体情報を示す画面の下側において、所定の期間である１時間毎に集計された過去１日（２４時間）分のアラームの発生回数が、棒グラフによって表示されている。アラームの発生回数には、バイタルアラームおよびテクニカルアラームの各々の発生回数が含まれている。そして、１時間におけるアラームの発生回数に関する閾値が破線で表示され、直近の時間帯である８時台におけるアラームの発生回数が、閾値を超えている旨のメッセージが表示されている。これにより、セントラルモニタ装置２０は、医療従事者に過度な負担がかかっていることと共に、アラームが頻繁に発生する時間帯等の傾向についても、ユーザーに通知できる。
【００５２】
図７に示す例では、セントラルモニタ装置２０は、８時台および１５〜１６時台におけるアラームの発生回数が閾値を超えているという傾向を、ユーザーに通知している。これにより、医療スタッフ等のユーザーは、例えば、これらの時間帯における患者に対する処置や、センサ等の交換や装着状態の改善、医療スタッフの人数等を見直すことができる。例えば、８時台は、患者の身体を拭く時間帯であり、１５〜１６時台は、患者および家族の面会時間に対応する時間帯である可能性が高い。このため、医療スタッフは、これらの時間帯においては、当該患者に関するアラームを発生させないような対応を事前に行ってもよい。
【００５３】
なお、セントラルモニタ装置２０の表示内容は、アラームが頻繁に発生していることをユーザーに通知できる内容であればよく、図６および図７に示す例に限定されない。例えば、セントラルモニタ装置２０は、所定の期間内におけるアラームの発生回数または継続時間Ａと、アラームの発生回数または継続時間に関する閾値Ｂを「Ａ／Ｂ」のように表示してもよい。また、セントラルモニタ装置２０は、各患者の生体情報を示す画面の下部において、アラームの発生状況の推移を示すグラフを常時表示し、当該グラフにおいて、アラームの発生状況に関する変化をリアルタイム情報として表示してもよい。
【００５４】
以上のように、アラーム情報処理装置としてのセントラルモニタ装置２０は、アラーム情報がアラーム情報に関する閾値を超えるか否かを判断する。これにより、医療スタッフ等のユーザーは、アラームを抑制するために、バイタルアラームに関する設定値や、患者に対する処置、センサ等の交換や装着状態の改善、医療スタッフの人数等を見直すことができる。その結果、アラームの発生回数が減少し、セントラルモニタ装置２０は、医療スタッフが頻繁に発生するアラームに対応できなかったり、重要なアラームを見逃したり、アラーム自体に慣れてしまったりすることを抑止でき、アラームが頻繁に発生する環境の改善を図ることができる。
【００５５】
また、セントラルモニタ装置２０は、アラーム情報に関する閾値として、アラームの発生回数に関する閾値を設定し、アラーム情報として、アラームの発生回数を集計する。これにより、セントラルモニタ装置２０は、アラームの発生回数に基づいて、アラームが頻繁に発生する環境の改善を図ることができる。
【００５６】
また、セントラルモニタ装置２０は、アラーム情報に関する閾値として、アラームの継続時間に関する閾値を設定し、アラーム情報として、アラームの継続時間を集計する。これにより、セントラルモニタ装置２０は、アラームの継続時間に基づいて、アラームが頻繁に発生する環境の改善を図ることができる。また、セントラルモニタ装置２０は、１回のアラームが発生したまま継続しているような場合であって、アラームの発生回数は当該回数に関する閾値を超えないが、アラームの継続時間は当該時間に関する閾値を超えるような場合に、アラームが頻繁に発生する環境の改善を図ることができる。
【００５７】
また、セントラルモニタ装置２０は、ユーザーによって入力され、入力部２５において受け付けられたアラーム情報に関する閾値を設定する。これにより、セントラルモニタ装置２０は、ユーザーによって入力された、医療現場の状況や要望等を反映した適切な閾値を設定できるため、アラームが頻繁に発生する環境の改善を図ることができる。
【００５８】
また、セントラルモニタ装置２０は、医療スタッフの人数、患者の人数、時間帯および曜日の少なくとも一つに関する情報に基づいて、アラーム情報に関する閾値を自動的に算出して設定する。これにより、セントラルモニタ装置２０は、ユーザーによる閾値の入力を受け付けていない場合でも、適切な閾値を自動的に算出して設定できるため、ユーザーの負担を軽減しつつ、アラームが頻繁に発生する環境の改善を図ることができる。
【００５９】
また、セントラルモニタ装置２０は、アラーム情報がアラーム情報に関する閾値を超えると判断した場合、ユーザーに通知する。これより、セントラルモニタ装置２０は、アラームが頻繁に発生することによって、医療スタッフに過度な負担がかかっていることを、ユーザーに通知できる。
【００６０】
また、セントラルモニタ装置２０は、アラーム情報が閾値を超えている旨のメッセージ、およびアラームの発生状況の推移を示すグラフの少なくとも一つを表示する。これにより、セントラルモニタ装置２０は、アラームに関する具体的な情報をユーザーに提供できるため、アラームを抑制しようとするユーザーの負担を軽減できる。
【００６１】
なお、本発明は、上述した実施形態のみに限定されず、特許請求の範囲内において、種々の変更や改良等が可能である。
【００６２】
例えば、上述した実施形態では、セントラルモニタ装置２０が、自装置におけるアラーム情報に関する閾値を設定する場合を例に挙げて説明した。しかし、セントラルモニタ装置２０は、少なくとも一人の患者について、個別の閾値を設定してもよい。これにより、セントラルモニタ装置２０は、アラームを頻繁に発生させる患者等について、アラーム情報を個別に判断できる。
【００６３】
また、上述した実施形態では、セントラルモニタ装置２０が、アラームの発生回数について判断する場合を例に挙げて説明した。しかし、セントラルモニタ装置２０は、アラームの発生回数として、アラームの種類に応じたアラームの発生回数について判断してもよい。すなわち、セントラルモニタ装置２０は、例えば、バイタルアラームもしくはテクニカルアラーム、またはより詳細なアラームの種類毎に異なる閾値を設定し、アラームの種類毎にアラームの発生回数が閾値を超えるか否かを判断してもよい。これにより、セントラルモニタ装置２０は、アラーム情報に関する閾値をより有効に活用できる。
【００６４】
あるいは、セントラルモニタ装置２０は、アラームの種類毎にアラームの発生回数に重み付けを行い、重み付けされたアラームの発生回数が、閾値を超えるか否かを判断してもよい。セントラルモニタ装置２０は、例えば、ある環境において、テクニカルアラームよりもバイタルアラームの方が多く発生することを把握している場合、バイタルアラームの発生回数の重み付けが、テクニカルアラームの発生回数の重み付けよりも小さくなるように設定してもよい。これにより、セントラルモニタ装置２０は、異なる種類のアラームをバランス良く考慮して、より適切にアラーム情報について判断できる。
【００６５】
また、上述した実施形態では、セントラルモニタ装置２０が、自装置におけるアラーム情報について判断する場合を例に挙げて説明した。しかし、本発明は、生体情報モニタ装置１０に適用されてもよい。すなわち、アラーム情報処理装置としての生体情報モニタ装置１０が、図５に示す処理を実行してもよい。生体情報モニタ装置１０は、一人の患者に割り当てられた病室に設置される場合に、医療スタッフ等のユーザーが、当該患者について頻繁に発生するアラームに対応できなかったり、重要なアラームを見逃したり、アラーム自体に慣れてしまったりすることを抑止できる。また、生体情報モニタ装置１０は、患者毎に使用されるので、医療スタッフ等のユーザーが、例えば、複数の患者のうち一人の患者について頻繁に発生するアラームに埋もれた、他の患者の重要なアラームを見逃すこと等を抑止できる。なお、生体情報モニタ装置１０が、図５に示す処理を実行し、その情報をセントラルモニタ装置に送信し、セントラルモニタ装置の画面上に表示してもよい。
【００６６】
あるいは、アラーム情報処理装置としての任意の他の端末が、生体情報モニタ装置１０またはセントラルモニタ装置２０からアラーム情報を取得し、図５に示す処理を実行してもよい。当該端末は、医療スタッフのリーダーが使用するコンピューター等の端末や、医療スタッフの各々に携帯される携帯端末等であってもよい。これにより、生体情報モニタ装置１０またはセントラルモニタ装置２０の近くにいない医療スタッフも、アラーム情報を確認できる。
【００６７】
また、電極確認や電波切れなどのテクニカルアラームでは、アラーム継続時間をモニタリングができていない時間としてもよい。
【００６８】
なお、上述した実施形態に係るセントラルモニタ装置２０における処理は、上記のフローチャートのステップ以外のステップを含んでもよいし、上記のステップのうちの一部のステップを含まなくてもよい。また、ステップの順序は、上述した実施形態に限定されない。さらに、各ステップは、他のステップと組み合わされて一つのステップとして実行されてもよく、他のステップに含まれて実行されてもよく、複数のステップに分割されて実行されてもよい。
【符号の説明】
【００６９】
１          医療用システム、
１０        生体情報モニタ装置、
１１、２１  制御部、
１２、２２  記憶部、
１３、２３  通信部、
１４、２４  表示部、
１５、２５  入力部、
１６、２６  報知部、
１７        検出部、
１８、２７  バス、
２０        セントラルモニタ装置、
２１１      設定部、
２１２      集計部、
２１３      判断部、
２１４      通知部、
３０        ネットワーク。
【図１】
2020013493.tif 000003
【図２】
2020013493.tif 000004
【図３】
2020013493.tif 000005
【図４】
2020013493.tif 000006
【図５】
2020013493.tif 000007
【図６】
2020013493.tif 000008
【図７】
2020013493.tif 000009